(57)【要約】【課題】上下に配置される外壁パネルの出入調整と高さ調整の両方が行える外壁構造を提供する。【解決手段】外壁パネル５０の裏面には、当該外壁パネル５０を建物の躯体（梁４に接続された定規アングル４２）に取り付ける取付部１と、上配置の外壁パネル５０と下配置の外壁パネル５０とを連結する連結部２と、上記外壁パネル５０の高さを調整する高さ調整接合部３と、が備えられている。上記連結部２のファスナー２１の上記上配置の外壁パネル５０の裏面に対向する箇所に形成されたねじ孔には上配置の外壁パネル５０の出入り調整部となる出入り調整ボルト２４が螺合されている。また、上記高さ調整接合部３は、Ｌアングル部材３１の立ち上げ片に横に螺合貫通された出入り調整ボルト３３を備える。【選択図】図１
2015017476.tif 000002
【特許請求の範囲】
【請求項１】
上下に配置される複数枚の外壁パネルと、
上記外壁パネルの裏面に設けられ、当該外壁パネルの高さを調整する高さ調整接合部と、
上記外壁パネルの裏面に設けられ、当該外壁パネルをパネル面外方向に保持しパネル面内方向への移動を可能とするように建物の躯体に取り付ける取付部と、
上記上配置の外壁パネルの裏面の下側に装着された下側締結部材と上記下配置の外壁パネルの裏面の上側に装着された上側締結部材とを連結する連結部と、を備えており、
上記高さ調整接合部は上記下配置の外壁パネルの出入り調整部を有し、上記連結部は上記上配置の外壁パネルの出入り調整部を有することを特徴とする外壁構造。
【請求項２】
請求項１に記載の外壁構造において、上記高さ調整接合部は、１本の締結部材で外壁パネルに固定されており、高さ調整用のボルトを、上記１本の締結部材の鉛直線から左右に等間隔をおいて２本備えていることを特徴とする外壁構造。
【請求項３】
請求項１または請求項２に記載の外壁構造において、上記連結部の上端部に上記下側締結部材が上から入るカット部が形成されていることを特徴とする外壁構造。
【請求項４】
請求項３に記載の外壁構造において、上記連結部には上記下側締結部材の未係止状態で当該連結部が回転するのを防止する回転防止部材が設けられることを特徴とする外壁構造。
【請求項５】
請求項１〜請求項４のいずれか１項に記載の外壁構造において、上記取付部が上記外壁パネルの幅方向中央側に位置しており、上記高さ調整接合部が上記外壁パネルの幅方向縁側に位置しており、上記取付部と上記高さ調整接合部との間に上記連結部が位置していることを特徴とする外壁構造。
【発明の詳細な説明】
【技術分野】
【０００１】
この発明は、外壁パネルが建物の柱梁からなる建物の躯体に固定される外壁構造に関する。
【背景技術】
【０００２】
特許文献１は、外壁パネルをファスナーによって建物の躯体に接合する外壁パネル接合構造を開示している。上記ファスナーは、上側外壁パネルの下端部および下側外壁パネルの上端部がボルト止めされるパネル接続部を備えている。また、この外壁パネル接合構造では、上記外壁パネルのレベルを調整するためのレベル調整ボルトを備えている。
【０００３】
特許文献２は、外壁パネル間の目地接合部の構造を開示している。具体的には、上側外壁パネルの屋内側下端面部にピン嵌合孔を設けると共に、下側外壁パネルの屋内側上端面部に、上端が上記ピン嵌合孔に嵌まり込む嵌合ピンを下部で埋め込み状態に設置し、この嵌合ピンに嵌合し螺子込み高さの調整により上記上側外壁パネルの屋内側下端面部を持ち上げて目地幅の調整を可能とする調整ナットを設けている。
【先行技術文献】
【特許文献】
【０００４】
【特許文献１】特開２００６−９７３５１号公報
【特許文献２】特開２０１０−２４２３２４号公報
【発明の概要】
【発明が解決しようとする課題】
【０００５】
しかしながら、上記従来の外壁構造では、上下に配置される外壁パネルの出入調整と高さ調整の両方が可能にされたものではなかった。
【０００６】
この発明は、上記の事情に鑑み、上下に配置される外壁パネルの出入調整と高さ調整の両方が行える外壁構造を提供することを課題とする。
【課題を解決するための手段】
【０００７】
この発明の外壁構造は、上記の課題を解決するために、上下に配置される複数枚の外壁パネルと、上記外壁パネルの裏面に設けられ、当該外壁パネルの高さを調整する高さ調整接合部と、上記外壁パネルの裏面に設けられ、当該外壁パネルをパネル面外方向に保持しパネル面内方向への移動を可能とするように建物の躯体に取り付ける取付部と、上記上配置の外壁パネルの裏面の下側に装着された下側締結部材と上記下配置の外壁パネルの裏面の上側に装着された上側締結部材とを連結する連結部と、を備えており、上記高さ調整接合部は上記下配置の外壁パネルの出入り調整部を有し、上記連結部は上記上配置の外壁パネルの出入り調整部を有することを特徴とする。
【０００８】
上記の構成であれば、上記外壁パネルの高さを調整する高さ調整接合部において上記下配置の外壁パネルの出入り調整部を有しており、また、上記連結部は上記上配置の外壁パネルの出入り調整部を有するので、上下に配置される外壁パネルの出入調整と高さ調整の両方が行えるようになる。
【０００９】
上記高さ調整接合部は、１本の締結部材で外壁パネルに固定されており、高さ調整用のボルトを、上記１本の締結部材の鉛直線から左右に等間隔をおいて２本備えていてもよい。これによれば、上記高さ調整接合部は、上記１本の締結部材を中心に回転することが可能となる。そして、上記のように２本の高さ調整用のボルトを備えるので、上記高さ調整接合部が躯体に平行でない場合でも、外壁パネルの重量を上記２本の高さ調整用のボルトで躯体に適切に伝達することができる。
【００１０】
上記連結部の上端部に上記下側締結部材が上から入るカット部が形成されていてもよい。これによれば、吊り上げた上配置の外壁パネルを上記下配置の外壁パネルの上に配置するときに、上記上配置の外壁パネルの裏面の下側に装着しておいた下側締結部材を上記連結部の上記カット部に上から係止させることができるようになり、外壁パネルの設置作業が効率化する。
【００１１】
上記連結部には上記下側締結部材の未係止状態で当該連結部が回転するのを防止する回転防止部材が設けられていてもよい。これによれば、吊り上げた上配置の外壁パネルを上記下配置の外壁パネルの上に配置するときに、例えば人の手で上記連結部の回転を止めるといったことが不要になる。
【００１２】
上記取付部が上記外壁パネルの幅方向中央側に位置しており、上記高さ調整接合部が上記外壁パネルの幅方向縁側に位置しており、上記取付部と上記高さ調整接合部との間に上記連結部が位置していてもよい。
【発明の効果】
【００１３】
本発明であれば、上下に配置される外壁パネルの出入調整と高さ調整の両方が行えるという効果を奏する。
【図面の簡単な説明】
【００１４】
【図１】本発明の実施形態の外壁構造を示した正面図である。
【図２】図１のＡ−Ａ矢視断面図である。
【図３】図１のＢ−Ｂ矢視断面図である。
【図４】図１のＣ−Ｃ矢視断面図である。
【発明を実施するための形態】
【００１５】
以下、この発明の実施の形態を添付図面に基づいて説明する。
図１、図２、図３および図４に示すように、建物の構造躯体である梁４のフランジ４ａ上には床板５が設けられており、また、上記フランジ４ａの下面には断面Ｌ字状の延長部材４１が固定されている。そして、２つの面部をＬ字状に有した定規アングル４２が、一方の面部を上記延長部材４１上の端部に接合させ、他方の面部を外側に向けて立ち上げた状態で設けられている。
【００１６】
外壁パネル５０は、例えば、ガラス繊維補強コンクリート（ＧＲＣ）の成形品からなるパネル本体部の外面にタイル等の化粧面材を備えているとともに、当該パネル本体部内には、雌螺子部が形成された第１ナット部５０ａ、第２ナット部５０ｂ、第３ナット部５０ｃおよび第４ナット部５０ｄが埋設された構造を有する。また、上側に配置される外壁パネル５０の下面と下側に配置される外壁パネル５０の上端部には１次ガスケット５１および屋内側に位置する２次ガスケット５２が設けられている。
【００１７】
そして、上記外壁パネル５０の裏面には、当該外壁パネル５０を建物の躯体（梁４に接続された定規アングル４２）に取り付ける取付部１と、上配置の外壁パネル５０と下配置の外壁パネル５０とを連結する連結部２と、上記外壁パネル５０の高さを調整する高さ調整接合部３と、が備えられている。上記取付部１は上記外壁パネル５０の幅方向中央側に位置しており、上記高さ調整接合部３は上記外壁パネル５０の幅方向縁側に位置しており、上記取付部１と上記高さ調整接合部３との間に上記連結部２が位置している。
【００１８】
上記取付部１は、図２にも示すように、ボルト１１と稲妻プレート（Ｚプレート）１２とからなる。上記稲妻プレート１２には縦方向に長いルーズホール１２ａが形成されている。上記ボルト１１は、その螺子部を上記ルーズホール１２ａに通して上記第１ナット部５０ａの雌螺子部に螺合している。上記外壁パネル５０の裏面と上記稲妻プレート１２との間に上記定規アングル４２の立ち上げ面部（他方の面部）が位置している。
【００１９】
上記ボルト１１を締めつけることにより、上記稲妻プレート１２によって、上記外壁パネル５０の裏面が上記定規アングル４２の立ち上げ面部（他方の面部）へと押し当てられ、上記外壁パネル５０が上記定規アングル４２を介して梁４に固定（ロッキング）される。すなわち、上記取付部１は、上記外壁パネル５０を、パネル面外方向に保持しパネル面内方向への移動を可能とするように、建物の躯体に取り付ける。
【００２０】
上記連結部２は、図１に示したように、上記取付部１の外側位置に２個設けられている。そして、上記連結部２のＬアングル形状のファスナー２１の上端には、図３にも示すように、上配置の外壁パネル５０の裏面の下側の上記第２ナット部５０ｂに装着されるボルトである下側締結部材２２が設けられており、上記ファスナー２１の下端には下配置の外壁パネル５０の裏面の上側の上記第３ナット部５０ｃに装着されるボルトである上側締結部材２３が設けられている。すなわち、上記下側締結部材２２および上側締結部材２３は上記ファスナー２１に形成された挿通孔を通して上記第２、第３ナット部５０ｂ、５０ｃに装着されている。また、上記上側締結部材２３には、上記外壁パネル５０の裏面と上記ファスナー２１との間においてスペーサ２６が外嵌されている。上記連結部２の上端部側の挿通孔は、上記下側締結部材２２が上から入るようにカット部２１ａになっている。また、上記下側締結部材２２から上記外壁パネル５０の重量がカット部２１ａにかからないように上記カット部２１ａの長さが長くされて隙間が形成されるようになっている。
【００２１】
また、上記ファスナー２１の上記上配置の外壁パネル５０の裏面に対向する箇所にはねじ孔が形成されており、このねじ孔には上記上配置の外壁パネル５０の出入り調整部となる出入り調整ボルト２４が螺合されている。上記出入り調整ボルト２４の先端部は上記外壁パネル５０の裏面に接触する。また、上記ファスナー２１の上記下配置の外壁パネル５０の裏面に対向する箇所にもねじ孔が形成されており、このねじ孔には回転防止ボルト２５が螺合されている。上記回転防止ボルト２５は、上記下側締結部材２２の未係止状態で上記連結部２のファスナー２１が回転するのを防止する。
【００２２】
上記高さ調整接合部３は、図４にも示すように、Ｌアングル部材３１と、このＬアングル部材３１の立ち上げ片に横に挿通された接合ボルト３２と、同じく上記Ｌアングル部材３１の立ち上げ片に横に螺合貫通された出入り調整ボルト３３と、上記Ｌアングル部材３１の水平片に縦に螺合貫通された高さ調整ボルト３４と、からなる。上記接合ボルト３２は上記下配置の外壁パネル５０の上側に設けられた第４ナット部５０ｄに螺合している。また、上記接合ボルト３２には上記外壁パネル５０の裏面と上記Ｌアングル部材３１の立ち上げ片との間において２個のナットが螺合されている。また、上記高さ調整接合部３は、上記１本の接合ボルト３２で外壁パネル５０に固定され、上記高さ調整ボルト３４を、上記１本の接合ボルト３２の鉛直線から左右に等間隔をおいて２本備えた構成になっている。各高さ調整ボルト３４の先端部は、上記定規アングル４２の水平片に上から接触する。また、上記出入り調整ボルト３３の先端部は、上記定規アングル４２の立ち上げ片に横から接触する。
【００２３】
上記の構成であれば、上記外壁パネル５０の高さを調整する高さ調整接合部３において上記下配置の外壁パネル５０の出入り調整を行う上記出入り調整ボルト３３を有しており、また、上記連結部２は上記上配置の外壁パネル５０の出入り調整を行う上記出入り調整ボルト２４を有するので、上下に配置される外壁パネル５０の出入調整と高さ調整の両方が行えるようになる。
【００２４】
また、上記高さ調整接合部３が上記１本の接合ボルト３２で外壁パネル５０に固定されていると、上記高さ調整ボルト３４が上記１本の接合ボルト３２の鉛直線から左右に等間隔をおいて２本備えられた構成になっていると、上記Ｌアングル部材３１は、上記１本の接合ボルト３２を中心に回転することが可能となり、上記のように２本の高さ調整用ボルト３４を備えることで、上記Ｌアングル部材３１が躯体に平行でない場合でも、外壁パネル５０の重量を上記２本の高さ調整用ボルト３４で躯体に適切に伝達することができることになる。
【００２５】
上記連結部２の上端部に上記上配置の外壁パネル５０の上記下側締結部材２２が上から入る上記カット部２１ａが形成されていると、吊り上げた上配置の外壁パネル５０を上記下配置の外壁パネル５０の上に配置するときに、上記上配置の外壁パネル５０の裏面の下側に装着しておいた上記下側締結部材２２を上記連結部２の上記カット部２１ａに上から係止させることができるようになり、外壁パネル５０の設置作業が効率化する。
【００２６】
上記下側締結部材２２の未係止状態で当該連結部２が回転するのを防止する上記回転防止ボルト２５が設けられていると、吊り上げた上配置の外壁パネル５０を上記下配置の外壁パネル５０の上に配置するときに、例えば人の手で上記連結部の回転を止めるといったことが不要になる。すなわち、上記回転防止ボルト２５を回してその先端を外壁パネル５０の裏面に当て止めして、上記ファスナー２１を鉛直に立てておくことができる。
【００２７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２８】
１      取付部
１１    ボルト
１２    稲妻プレート
２      連結部
２１    ファスナー
２２    下側締結部材
２３    上側締結部材
２４    出入り調整ボルト
２５    回転防止ボルト（回転防止部材）
３      高さ調整接合部
３１    Ｌアングル部材
３２    接合ボルト
３３    出入り調整ボルト
３４    高さ調整ボルト
４      梁
５０    外壁パネル
【図１】
2015017476.tif 000003
【図２】
2015017476.tif 000004
【図３】
2015017476.tif 000005
【図４】
2015017476.tif 000006